(57)【要約】      （修正有）【課題】手入れが簡単で、造花を備えながら生花を生けることを可能にする花器を提供する。【解決手段】上端が開口する容器Ｐと、容器内に開口を介して取り出し可能に挿し込まれる収容体Ｆとを備える花器において、容器は内側に空部Ｐ１を備え、空部への収容体の挿し込みと水の貯留を可能にし、収容体は基部１と装飾部２とを備える。基部は細幅長尺の帯状に形成されて長尺となる軸線方向に沿って巻き込み又は巻き解きを自在にし、装飾部は基部の軸線方向を上下方向に横切る幅方向の一端たる上端に設けられる。さらに装飾部は、基部の幅方向に沿って延在すると共に基部の軸線方向に沿って設けられる複数の造花片２１を備える。【選択図】図２
0003190275.tif 000002
【実用新案登録請求の範囲】
【請求項１】
容器と、この容器内に取り出し自在に挿し込まれる収容体とからなり、上記収容体は巻き込み又は巻き解き自在な帯状基部と、この基部の上端に連続して隔設した複数の造花片とからなる装飾部とで構成したことを特徴とする花器。
【請求項２】
上端が開口する容器と、この容器内に上記開口を介して取り出し可能に挿し込まれる収容体とを備える花器において、
上記容器が内側に空部を備え、この空部への上記収容体の挿し込みを可能にすると共に水の貯留を可能にし、
上記収容体が基部と装飾部とを備え、上記基部が細幅長尺の帯状に形成されて長尺となる軸線方向に沿っての巻き込み又は巻き解きを自在にし、上記装飾部が上記基部の軸線方向を上下方向に横切る方向となる幅方向の一端たる上端に設けられ、
この装飾部が上記基部の上記上端に設けられて上記基部の幅方向に沿って延在すると共に上記基部の軸線方向に沿って設けられる複数の造花片を備え、
上記収容体が上記基部の軸線方向に沿って巻き込まれるときに、上記複数の造花片が集合状態になり、この集合状態になる複数の造花片の間に生花あるいは造花を挿し込むときに、この生花あるいは造花が相隣する造花片の間に保持されて挿し込み状態に維持されると共に、上記生花の下端が上記容器の空部に貯留される水内に没入されることを特徴とする花器。
【請求項３】
上記収容体にあって、上記基部の上記幅方向の長さ寸法と、上記装飾部における上記造花片の延在方向の長さ寸法とからなる全高が上記基部の軸線方向に沿って同一になりあるいは高低いずれかに変化してなる請求項１または２に記載の花器。
【請求項４】
上記収容体にあって、上記基部の上記幅方向の長さ寸法が上記基部の軸線方向に沿って同一になりあるいは高低いずれかに変化してなる請求項１から請求項３のいずれかに記載の花器。
【請求項５】
上記収容体にあって、上記装飾部における上記造花片の延在方向の長さ寸法が上記基部の軸線方向に沿って同一になりあるいは高低いずれかに変化してなる請求項１から請求項４のいずれかに記載の花器。
【請求項６】
上記収容体にあって、上記装飾部における上記造花片が上記基部に連続する部位の反対部となる先端部を上記造花片の肉厚を貫通する方向にあるいは上記基部の軸線方向に湾曲させあるいは傾斜させて反らせてなる請求項１から請求項５のいずれかに記載の花器。
【考案の詳細な説明】
【技術分野】
【０００１】
本考案は、花器の改良に関する。
【背景技術】
【０００２】
たとえば、庭で咲いている花を切り取り、切り花にして屋内の花器に生けることは、日常的に見受けることであるが、切り花たる生花を花器に生けるのについては水が必要であり、水を利用することから、花器に水垢や苔が着くことを防ぐために、あるいは、花器に着いた水垢や苔を取り除くために、花器を水洗いするなどの手入れが必要になる。
【０００３】
対して、模造の花、すなわち、造花を花器に挿して生花と同様に愛でるのについては、水を必要としないので、花器に水垢や苔が着くことを防ぐことができ、あるいは、花器に着いた水垢や苔を取り除くために、花器を水洗いするなどの手入れを不要にする利点がある。
【０００４】
一方、花器に生花を生ける場合に、たとえば、花束を作れるほどの複数本の生花を花器に生けることに代えて、一輪の生花を花器に生ける一輪挿しと称される生花の生け方、あるいは、数輪の生花を花器に生ける一輪挿し風の生花の生け方があるが、この一輪挿しにあるいは一輪挿し風に生花を生けるのについては、たとえば、模造の草葉、すなわち、造花の中に生花の一輪あるいは数輪を挿すことで、一輪挿しとしてあるいは一輪挿し風にして造花と共に生花を愛でることも可能になる。
【０００５】
この造花の中に生花の一輪を挿す一輪挿しとして、あるいは、造花の中に生花の数輪を挿す一輪挿し風にして、造花と共に生花を愛でることを可能にするものとして、たとえば、特許文献１に開示の提案があり、この提案は、鉢様の容器が造花を挿し止める台部材を備え、この台部材は、容器に着脱可能とされ、また、台部材の下方に空部を形成するとしている。
【０００６】
それゆえ、この文献開示の花器によれば、造花の一部を切り花たる生花に代えると共に、容器内の空部に水を溜めれば、造花の中に一輪あるいは数輪の生花を生けた状態を現出し得ることになり、造花と共に生花を愛でることを可能にし、また、生花の種類を替えることで、違う生花を愛でることを可能にする。
【先行技術文献】
【特許文献】
【０００７】
【特許文献１】特開平１０−１７９３５９号公報
【考案の概要】
【考案が解決しようとする課題】
【０００８】
上記した文献開示の花器にあっては、容器内の空部に水を溜めることで、造花に代えてあるいは造花と共に、一輪の生花あるいは数輪の生花を生けることを可能にする点で問題がある訳ではないが、利用するのにあって、些かの不具合があると指摘される可能性がある。
【０００９】
すなわち、前記したように、花器が水を貯留する場合には、花器に水垢や苔が着くことを防ぐために、あるいは、花器に着いた水垢や苔を取り除くために、花器を水洗いするなどの手入れが必要になる。
【００１０】
花器の手入れに際して、花器が上記した文献開示のように、容器と、この容器内に設けられる台部材とを備え、容器内に水を貯留させる場合には、容器と台部材の両方についての手入れが必要になるのはもちろんのこと、台部材に造花を挿している場合には、併せて造花の手入れも必要になる。
【００１１】
花を愛でる点であるいは装飾効果の点で、造花と生花とに甲乙を付け難いことからすれば、造花の利点は、手入れをなくしあるいは簡単にし得ることであり、生花の利点は、季節に応じるなどで違う花を愛でることができることであると言える。
【００１２】
だとすると、造花の良さを活かしながら生花を生けることを可能にする、すなわち、手入れを簡単にして、造花を備えながら生花を生けることを可能にする花器、特に、一輪挿しにあるいは一輪挿し風に利用できる花器の提案が望まれるが、これまでにこの要請に応じられる花器の提案はなかったのが実情である。
【００１３】
そこで、本考案は、このような現状を鑑みて創案されたものであって、その目的とするところは、手入れを簡単にして、造花を備えながら生花を生けることを可能にし、特に、一輪挿しにあるいは一輪挿し風に利用するのに最適となる花器を提供することである。
【課題を解決するための手段】
【００１４】
上記した目的を達成するために、本考案による一つの手段は容器と、この容器内に取り出し自在に挿し込まれる収容体とからなり、上記収容体は巻き込み又は巻き解き自在な帯状基部と、この基部の上端に連続して隔設した複数の造花片とからなる装飾部とで構成したことを特徴とするものである。同じく、他の手段は、上端が開口する容器と、この容器内に上記開口を介して取り出し可能に挿し込まれる収容体とを備える花器において、上記容器が内側に空部を備え、この空部への上記収容体の挿し込みを可能にすると共に水の貯留を可能にし、上記収容体が基部と装飾部とを備え、上記基部が細幅長尺の帯状に形成されて長尺となる軸線方向に沿っての巻き込みおよび巻き解きを自在にし、上記装飾部が上記基部の軸線方向を上下方向に横切る方向となる幅方向の一端たる上端に設けられ、この装飾部が上記基部の上記上端に設けられて上記基部の幅方向に沿って延在すると共に上記基部の軸線方向に沿って設けられる複数の造花片を備え、上記収容体が上記基部の軸線方向に沿って巻き込まれるときに、上記複数の造花片が集合状態になり、この集合状態になる複数の造花片の間に生花あるいは造花を挿し込むときに、この生花あるいは造花が相隣する造花片の間に保持されて挿し込み状態に維持されると共に、上記生花の下端が上記容器の空部に貯留される水内に没入されるとすることを特徴とするものである。
【考案の効果】
【００１５】
それゆえ、本考案の花器にあっては、容器と収容体の二部材からなり、しかも、容器内から収容体を取り出せるから、容器および収容体を水洗いするなどの手入れを楽に行えることになり、このとき、収容体にあっては、容器内から取り出して巻き解かれることで、収容体が一枚の帯状体になり、収容体を水洗いするなどの手入れを楽に行えることになる。
【００１６】
そして、収容体が造花片を備えてなるから、集合状態になる複数の造花片の間に生花あるいは造花を挿し込むときに、造花を備えながら生花を生けることを可能にし得ることになり、特に、一輪挿しにあるいは一輪挿し風に利用するとき、造花の良さを活かしながら違う生花を愛でることを可能にし得ることになる。
【図面の簡単な説明】
【００１７】
【図１】本考案による花器を示す斜視図である。
【図２】本考案による花器を構成する容器を縦断面で示すと共に、本考案による花器を構成する収容体を巻き解いた状態で一部破断して示す図である。
【図３】図２中のＹ−Ｙ線位置で示す収容体の縦断面図で、（Ａ），（Ｂ）および（Ｃ）は、それぞれ造花片の先端部が変形された状態を示す。
【図４】（Ａ），（Ｂ），（Ｃ）および（Ｄ）は、巻き込まれた状態の収容体の縦断面を示す概略図である。
【考案を実施するための形態】
【００１８】
以下に、図示した実施形態に基づいて、本考案を説明するが、本考案による花器は、容器Ｐと、この容器内に取り出し自在に挿し込まれる収容体Ｆとからなり、上記収容体Ｆは巻き込み又は巻き解き自在な帯状基部１と、この基部の上端に連続して隔設した複数の造花片２１とからなる装飾部２とで構成したことを特徴とするものである。さらに詳しく説明すると、図１および図２に示すように、容器Ｐと、収容体Ｆとを備えてなり、容器Ｐは、上端に開口（符示せず）を備え、収容体Ｆは、容器Ｐの開口を介して容器Ｐの空部Ｐ１（図２参照）に取り出し可能に挿し込まれるとしている。
【００１９】
なお、図１に示すところでは、収容体Ｆ中に一輪の切り花たる生花を挿し込まれているが、本考案が意図するところからすれば、挿し込まれる生花については、これが数輪とされても良い。
【００２０】
また、容器Ｐの空部Ｐ１に貯留される水は、同じく容器Ｐの空部Ｐ１に挿し込まれる収容体Ｆの下端部を浸す量とされても良く、収容体Ｆの下端部を浸さない量とされても良い。
【００２１】
ちなみに、本考案にあって、花器を構成する容器Ｐおよび収容体Ｆは、共に積極的な水洗いを可能にし得るように形成されるが、凡そこの種の花器は、水洗いされるのは当然と言える。
【００２２】
このとき、本考案の花器にあっては、容器Ｐおよび収容体Ｆの二部材を備えるのみであるから、たとえば、前記した特許文献１に開示するところが二部材以上からなることに比較して、部材数を少なくし、したがって、水洗いするなどの手入れを簡単にし得ることになる。
【００２３】
戻って、容器Ｐは、内側に空部Ｐ１を備えるが、この空部Ｐ１は、収容体Ｆの取り出し可能な挿し込みを可能にすると共に、空部Ｐ１への水の貯留を可能にする。この空部Ｐ１が水の貯留を可能にすることから、本考案にあっては、容器Ｐの底などに水抜き用の孔などを備えないのが好ましい。
【００２４】
空部Ｐ１の形状については、収容体Ｆの挿し込みおよび取り出しを可能にすることからすれば、さらには、水の貯留を可能にすることからすれば、たとえば、図示するように、下向きとなる円錐台形状や角錐台形状、すなわち、下方を向く錐台形状（図２参照）に形成されるとして良い。
【００２５】
もっとも、本考案にあって、容器Ｐは、収容体Ｆの挿し込みおよび取り出しを可能にすれば良く、したがって、収容体Ｆの挿し込みおよび取り出しを可能にする限りには、その形状が図示するようないわゆる植木鉢状に形成されるのに代えて、図示しないが、壺状に形成されたり、花瓶状に形成されたりするとしても良く、このことから容器Ｐにおける空部Ｐ１の形状が特定されることを要しない。
【００２６】
戻って、容器Ｐにあって、空部Ｐ１の形状が、下方を向く錐台形状に形成される場合には、収容体Ｆが容器Ｐの空部Ｐ１に挿し込まれるほどに容器Ｐに対する摩擦抵抗を大きくすることが可能になり、容器Ｐ内に挿し込まれた収容体Ｆが僅かな外力の作用で容器Ｐの外に簡単に抜き出ることを効果的に阻止する上で有利になる。
【００２７】
なお、空部Ｐ１は、下方を向く単一の錐台形状に形成されるとき、図示しない単一の錐台形状に形成されるのに代えて、図示するように、複数段になる錐台形状に形成されても良い。
【００２８】
ちなみに、容器Ｐにおける空部Ｐ１が図示するように下方を向く複数段の錐台形状に形成されて、容器Ｐの内側面（符示せず）に段部Ｐ２を出現させる場合には、この段部Ｐ２をいわゆる引っ掛かり部に設定でき、収容体Ｆを空部Ｐ１に挿し込む際の挿し込み量を大小調整することを可能にし得ることになる。
【００２９】
容器Ｐを形成する素材については、容器Ｐとしての形態を維持するための自己支持性と所定の機械的強度を備える観点からすれば、たとえば、硬質合成樹脂材の他に木材などの天然素材が選択されても良いが、本考案による花器がテーブルなどの上に置かれるなどしていわゆる飾りになることからして、小さな外力の作用で簡単に倒れないように重量があり、また、水を貯留するなどの観点からして腐食に強いなどの陶器や磁器、あるいは、金属が選択されるのが好ましい。
【００３０】
なお、容器Ｐの素材に軽量な素材が選択される場合には、たとえば、容器Ｐの底に重量物としての鋼材が設けられるとしたり、あるいは、磁力を具有する磁石が設けられるとしたりしても良い。
【００３１】
容器Ｐが以上のように形成されるのに対して、収容体Ｆは、図２に示すように、基部１と装飾部２とを備え、あらためて図示しないが、基部１が巻き込まれて丸められるとき、装飾部２も丸められ、その態勢で上記の容器Ｐにおける空部Ｐ１に取り出し可能に挿し込まれるとしている（図１参照）。
【００３２】
また、図１に示すところにあって、収容体Ｆを構成する装飾部２が備える造花片２１は、収容体Ｆが丸められて容器Ｐ内に挿し込まれたときに、先端部（符示せず）が容器Ｐの外側に向けて反る態勢になるとしているが、これは、後述するように、造花片２１の先端部が図２中で基部１の背面側に反る、すなわち、言うなれば、造花片２１の先端部が外反りの態様に形成されてなることに起因する。
【００３３】
なお、造花片２１の先端部が外反りの態様に形成されていることについては、図２中に表現していない。また、本考案における「造花体２１」に言う「造花」なる語は、模造の「花」ではなく、模造の「草葉」を指すが、要する場合には、模造の「花」を指すこともある。
【００３４】
戻って、基部１は、図２中で上下方向となる幅を細幅にして、図２中で左右方向となる軸線方向の長さを長尺する帯状に形成されて、この軸線方向に沿っての巻き込みおよび巻き解きを自在にするとしている。ちなみに、図２に示す基部１の状態は、巻き解きされた状態である。
【００３５】
基部１は、長尺となる軸線方向に沿っての巻き込みおよび巻き解きを自在にする限りには、任意の素材で形成されて良いが、巻き込みおよび巻き解きが繰り返されることを鑑みると、簡単に欠損や破断などをしないように、柔軟性に富む素材が選択されるのが好ましいと言える。
【００３６】
また、基部１は、これが容器Ｐにおける空部Ｐ１に貯留の水に比較的長期に亙って浸されることがあることを鑑みると、また、本考案の花器が水洗いされることを前提にしていることを鑑みると、耐水性に富む素材が選択されるのが好ましいと言える。
【００３７】
以上からすると、基部１は、たとえば、軟質合成樹脂材からなるのが良く、基部１が軟質合成樹脂材からなるとき、たとえば、基部１に言わば軽い巻き癖を具有させるために、附勢部材を芯材として併用するとしても良い。
【００３８】
また、基部１は、後述する装飾部２を一体に設けることに関連して、装飾部２と一体に形成されるとしても良く、また、たとえば、二枚の薄い帯状体を任意の手段で積層してなる、すなわち、装飾部２を挟むようにしながら積層されてなるとしても良い。
【００３９】
基部１が以上のように形成されるのに対して、装飾部２は、基部１の上端、すなわち、基部１にあって、軸線方向を図２中で上下方向に横切る方向となる幅方向の一端たる上端に設けられるとしている。
【００４０】
そして、この装飾部２は、図２に示すところでは、基部１を形成するときに併せて形成されて、基部１に一体に設けられるとしているが、これに代えて、基部１と別に形成され、爾後に接着材の利用などで基部１に一体化されても良く、また、前記したように、基部１が二枚の薄い帯状体を任意の手段で積層して形成される場合には、基部１の上端部に挟持され溶着などされて一体に設けられるとしても良い。
【００４１】
一方、装飾部２は、図示するところでは、基部１の上端に設けられて基部１の幅方向に沿って延在する複数の造花片２１を備え、この複数の造花片２１が基部１の軸線方向に沿って整列して設けられるとしている。
【００４２】
ちなみに、複数の造花片２１が基部１の上端に設けられるのについて、これが整列されることはもちろんとしても、相隣する造花片２１間の寸法が同一とされずして区々となるとしても良い。
【００４３】
また、複数の造花片２１の形状は、基本的には同一あるいは類似するように統一されているのが良いが、統一されていなくても良く、特に、相隣する造花片２１間に異なる形状に形成された造花片２１が配設される態勢になるとしても良い。
【００４４】
ところで、装飾部２を形成する造花片２１についてだが、その形態は、図示するところでは、細幅にして長くなり先端を尖らせる言わば草葉状の外観を呈するとしているが、これは一例であって、図示しないが、シダ葉などを含めて凡そ葉っぱと称されるものの形状として周知されている形状のいずれかが選択されて形成されるとしても良いことはもちろんである。
【００４５】
また、造花片２１の延在態様についてだが、図３（Ａ）に示すように、すなわち、前記したように、造花片２１の先端部が外反りの態様とされる外、あらためて図示しないが、上記と反対、すなわち、造花片２１の先端部が図２中で基部１の正面側に反る内反りの態様とされるとしても良い。
【００４６】
ちなみに、造花片２１の先端部は、湾曲して反ることに代えて、図示しないが、緩やかに傾斜して内反りとされあるいは外反りとされるとしても良いことはもちろんである。
【００４７】
そして、造花片２１の延在態様については、たとえば、図３（Ｂ）に示すように、造花片２１の先端部が基部１の幅方向に沿って内側に小さく巻き込まれてカールするように形成されるとしても良く、図示しないが、反対に、造花片２１の先端部が基部１の幅方向に沿って外側に小さく巻き込まれてカールするように形成されるとしても良い。
【００４８】
さらに、造花片２１の延在態様については、図３（Ｃ）に示すように、造花片２１が二股状に形成されると共に二股になる各片が基部１の肉厚を貫通する方向に沿うように、しかも、互いに内外反対方向に湾曲したり傾斜したりして反るとしても良く、図示しないが、造花片２１自体が基部１の軸線方向に沿うように小さく折れ曲がりを繰り返す、すなわち、波打つようになるとしても良い。
【００４９】
ところで、本考案における収容体Ｆは、図２に示すところでは、図２中で左端となる一端の高さ寸法を、すなわち、基部１および装飾部２からなる高さ寸法を図２中で右端となる他端の高さ寸法より低くなるとし、その一方で、装飾部２にあっては、上記一端における高さを上記他端における高さと同一にするとしている。
【００５０】
これによって、図示しないが、収容体Ｆを上記の一端から他端に向けて基部１の軸線方向に沿って内側に巻き込むとき、縦断面にあって、概略図たる図４（Ａ）に示すように、また、収容体Ｆを上記の他端から一端に向けて基部１の軸線方向に沿って内側に巻き込むとき、縦断面にあって、概略図たる図４（Ｂ）に示すように、造花片２１の先端部が容器Ｐの外側に向けて反る態勢を呈することになる。
【００５１】
ちなみに、図４（Ａ）に示すところでは、装飾部２の上端が中央に向けて徐々に浅くなる形状を呈することになり、図４（Ｂ）に示すところでは、装飾部２の上端が中央に向けて徐々に上方に突出する形状を呈することなる。
【００５２】
一方、収容体Ｆを基部１の軸線方向に沿って巻き込むとき、造花片２１の先端部が内反りとされている場合には、図４（Ｃ）および図４（Ｄ）に示すように、造花片２１の先端部が容器Ｐの内側に向けて曲がる態様を呈することになる。
【００５３】
すなわち、先端部が内反りになる造花片２１を備える収容体Ｆを上記の一端から他端に向けて基部１の軸線方向に沿って内側に巻き込むと、縦断面にあって、図４（Ｃ）に示すように、造花片２１の先端部が容器Ｐの内側に向かって曲がるようになり、このとき、装飾部２の上端が中央に向けて徐々に浅くなる形状を呈することになる。
【００５４】
そして、先端部が内反りになる造花片２１を備える収容体Ｆを上記の他端から一端に向けて基部１の軸線方向に沿って内側に巻き込むと、縦断面にあって、図４（Ｄ）に示すように、装飾部２の上端が中央に向けて徐々に突出する形状を呈することなる。
【００５５】
それゆえ、以上のように形成された収容体Ｆが長尺となる基部１の軸線方向に沿って巻き込まれると、基部１が上方から見る平面視で渦巻き状に巻き込まれた状態になり、この基部１に連続する状態に設けられている複数の造花片２１が一塊の集合状態になる。
【００５６】
そして、収容体Ｆにあって、巻き込まれた基部１が容器Ｐの空部Ｐ１に挿し込まれることで、基部１の巻き込み状態が維持されると共に、基部１の巻き込み状態を維持されるから、複数の造花片２１が言わば容器Ｐの空部Ｐ１にあって一塊の集合状態のままに維持されることになる。
【００５７】
そこで、本考案の花器にあっては、容器１の空部Ｐ１に一塊の集合状態のままに維持される造花片２１群中に、たとえば、図１に示すように、一輪の切り花たる生花（符示せず）を挿し込むと、図示しないが、生花の茎が相隣する造花片２１の間に保持されて、生花が造花中に挿し込まれた状態に維持されることになる。
【００５８】
そして、造花片２１群中に挿し込まれた生花の下端部（符示せず）は、造花片２１群を貫通して、渦巻き状に巻き込まれた基部１に保持されたり、あるいは、基部１を貫通して容器Ｐの空部Ｐ１に貯留される水内に没入されたりすることになる。
【００５９】
なお、生花の下端が容器Ｐの空部Ｐ１に貯留される水内に没入されることで、生花をいわゆる生かすことが可能になる。そして、上記の生花は、これが造花に代えられるとしても良く、この場合には、容器Ｐの空部Ｐ１に水を貯留しなくても良いことはもちろんである。
【００６０】
それゆえ、本考案の花器にあっては、容器Ｐと収容体Ｆの二部材からなり、しかも、容器Ｐ内から収容体Ｆを取り出せるから、容器Ｐを水洗いするなどの手入れを楽に行えると共に、容器Ｐ内から取り出した収容体Ｆが巻き解かれることで、収容体Ｆが一枚の帯状体になり、収容体Ｆを水洗いするなどの手入れを楽に行えることになる。
【００６１】
その結果、本考案の花器によれば、手入れを簡単にして、造花を備えながら生花を生けることを可能にし得ることになり、特に、一輪挿しにあるいは一輪挿し風に利用するとき、造花の良さを活かしながら違う生花を愛でることを可能にし得ることになる。
【００６２】
前記したところでは、本考案による花器が一輪挿しにあるいは一輪挿し風に利用することを可能にするように形成されてなるとして説明したが、本考案が意図するところからすれば、本考案による花器は、一輪挿しにあるいは一輪挿し風に利用されることのみに限られずに、たとえば、一握りできる花束あるいはそれ以上となる花束を作れるほどの複数本の生花を生ける花器としての利用を妨げるものではないことはもちろんである。
【００６３】
また、前記したところでは、花器にあって、容器Ｐ内に挿し込まれる収容体Ｆにおける装飾部２を構成する造花片２１が草葉状に形成されてなるとしたが、この花器が機能するところからすれば、上記の造花片２１が花を模造したもの、すなわち、いわゆる造花であるとしても良いことはもちろんである。
【００６４】
そして、前記したところでは、長尺の帯状に形成される収容体Ｆが一端の高さと他端の高さを高低異なるとしたが、この考案が意図するところからすれば、図示しないが、収容体Ｆにおける一端の高さと他端の高さとが同一になるとしても良く、この場合に、収容体Ｆにおける基部１の高さが上記の一端と他端との間で同一になるとしても良い。
【００６５】
そしてまた、収容体Ｆにおける一端の高さと他端の高さとが同一になるとしても、この一端と他端との間で、収容体Ｆにおける上端の高さ位置が任意の高さに高低変化するとしても良く、いわゆる変化を愉しむために、その他種々の変更がなされるとしても良いことはもちろんである。
【００６６】
さらに、前記したところでは、収容体Ｆを構成する基部１が長尺の帯状に形成されて、いわゆる一枚物になるとしたが、本考案が意図するところからすれば、図示しないが、任意の長さに形成された短尺の帯状体を任意の数、着脱自在に連結して形成されるとしても良く、この場合には、造花片２１の形状を部分的に変化させたり、色合いを部分的に変化させたりすることが可能になる。
【符号の説明】
【００６７】
Ｆ  収容体
Ｐ  容器
Ｐ１  空部
Ｐ２  段部
１  基部
２  装飾部
２１  造花片
【図１】
0003190275.tif 000003
【図２】
0003190275.tif 000004
【図３】
0003190275.tif 000005
【図４】
0003190275.tif 000006